(57)【要約】【課題】電波吸収体など磁性シートをフレキシブルケーブルに貼ることなく高周波ノイズの受信妨害、受信感度劣化への影響を無くし、上筐体の厚みを削減し、デザイン性、可搬性にすぐれた薄型携帯電話装置を提供することにある。【解決手段】補強板金１４と上筐体ケース板金１１を密着させ貼り付けることにより、また補強板金１４と上筐体ケース板金１１を一体で構成させることにより、補強板金１４と上筐体ケース板金は高周波で結合され、一体の金属導体として作用し、内臓アンテナとして利用する補強板金１４に無線部からのアンテナ電流を流しても、この金属導体中空を通るフレキシブルケーブル１２へはアンテナ電流は流れることは無く、高速で制御信号が流れるフレキシブルケーブル１２から放射される高周波ノイズによる受信妨害、受信感度劣化の影響を抑えることが出来る。【選択図】図２
2010263282.tif 000002
【特許請求の範囲】
【請求項１】
ヒンジ部を介して結合された上筐体及び下筐体を含む折り畳み可能に構成された携帯電話装置であって、
前記上筐体は、補強板金と、上筐体ケース板金と、配線パターンが形成されたフレキシブルケーブルと、を備え、
前記下筐体は、無線部を備え、
前記補強板金は、前記無線部のアンテナとして機能し、
前記フレキシブルケーブルは、前記上筐体ケース板金と前記補強板金とに挟持される携帯電話装置。
【請求項２】
前記上筐体の上筐体ケース板金と補強板金とが接着テープで貼り付けられていることを特徴とする請求項１記載の携帯電話装置。
【請求項３】
前記上筐体の上筐体ケース板金と補強板金とが一体で構成され、前記一体で構成された上筐体ケース板金と前記補強板金との間に中空のスペースが設けられ、前記フレキシブルケーブルが前記スペースに配置されることを特徴とする請求項１記載の携帯電話装置。
【発明の詳細な説明】
【技術分野】
【０００１】
本発明は携帯電話等の無線機能を備えた携帯電子機器に関するものである。
【背景技術】
【０００２】
従来、折畳み式携帯電話装置において、上筐体内のフレキシブルケーブルに配線される信号線には、上筐体の表示デバイス駆動のための制御信号が有り、この制御信号は高速で制御が必要であり、制御、表示データ書き込み時に、この動作タイミングの整数倍の高周波ノイズを放射する。
【０００３】
また、最近の携帯電話装置ではワンセグ機能等、多種の無線回路が実装される場合が多くなってきている。さらに、この無線部のアンテナとして、内蔵アンテナを採用し、デザイン性、可搬性を維持する構成が多い。
この携帯電話装置の無線回路の内蔵アンテナとして、上筐体内の補強板金等の金属物を利用して無線回路のアンテナ電流を流し、上筐体内の金属物をアンテナ素子として利用している。
【０００４】
このアンテナ素子として使用する上筐体内の金属物の近傍に前記の高速で制御されている高周波ノイズ発生源であるフラットケーブルが配設される為、この高周波ノイズによる無線部受信の受信妨害、受信感度劣化の対策が必要となっている。
このフラットケーブルから発生する高周波ノイズ対策として、例えば特許文献１にあるように電波吸収体などの磁性シートをフラットケーブルに貼り付ける対策が開示されている。
図７に従来構成例の上筐体断面図を示す。表示面より、前面パネル１０、表示デバイス８、補強板金１４、電波吸収体１３、フレキシブルケーブル１２、上筐体ケース板金１１で構成されている。
【０００５】
前記の補強板金１４を内蔵アンテナとして利用した場合、フレキシブルケーブル１２からの高周波ノイズの影響を無くす為、フレキシブルケーブル１２、補強板金１３間に電波吸収体１３を
貼り付けている。
【先行技術文献】
【特許文献】
【０００６】
【特許文献１】特開2005-184195号公報
【発明の概要】
【発明が解決しようとする課題】
【０００７】
しかしながら、特許文献１にある様なフレキシブルケーブルに磁性シート等の電波吸収体を貼り付ける対策では、図７に示す様に、フレキシブルケーブルとアンテナ素子である金属物（図７では補強板金）間に磁性シートを貼り付ける必要があるため、薄型化に向けた障害となる。
【０００８】
本発明は前述したこれら問題点に鑑みてなされたものであり、その目的は、上筐体の厚みを削減し、デザイン性、可搬性にすぐれた薄型携帯電話装置を提供することにある。
【課題を解決するための手段】
【０００９】
前述した目的を達成するために、ヒンジ部を介して結合された上筐体及び下筐体を含む折り畳み可能に構成された携帯電話装置であって、前記上筐体は少なくとも補強板金、上筐体ケース板金で構成され、前記補強板金を無線部の内蔵アンテナとして利用し、前記上筐体内部に配線パターンが形成されたフレキシブルケーブルを備え、前記フレキシブルケーブルを上筐体ケース板金と、補強板金で挟み込む構造とする。
【００１０】
この構成により、上筐体ケース板金と補強板金を密着してフレキシブルケーブルを挟み込むことにより上筐体ケース板金と補強板金は高周波で結合され、一体の金属導体として作用し、内臓アンテナとして利用する補強板金に無線部からのアンテナ電流を流しても、この金属導体中空を通るフレキシブルケーブルへはアンテナ電流は流れることは無く、高速で制御信号が流れるフレキシブルケーブルから放射される高周波ノイズによる受信妨害、受信感度劣化の影響を抑えることが出来る。
また、前記上筐体の上筐体ケース板金と、補強板金を接着テープで貼り付ける構造とする。
【００１１】
これにより補強板金と上筐体ケース板金を密着させ貼り付けることにより、補強板金と上筐体ケース板金は高周波で結合され、一体の金属導体として作用し、内臓アンテナとして利用する補強板金に無線部からのアンテナ電流を流しても、この金属導体中空を通るフレキシブルケーブルへはアンテナ電流は流れることは無く、高速で制御信号が流れるフレキシブルケーブルから放射される高周波ノイズによる受信妨害、受信感度劣化の影響を抑えることが出来る。
また、前記上筐体の上筐体ケース板金と、補強板金が一体で構成され、前記一体で構成された上筐体ケース板金と前記補強板金に中空のスペースを設け、前記中空のスペースを前記フレキシブルケーブルを通した構造とする。
これにより、補強板金と上筐体ケース板金を一体で構成させることにより、補強板金と上筐体ケース板金は高周波で結合され、一体の金属導体として作用し、内臓アンテナとして利用する補強板金に無線部からのアンテナ電流を流しても、この金属導体中空を通るフレキシブルケーブルへはアンテナ電流は流れることは無く、高速で制御信号が流れるフレキシブルケーブルから放射される高周波ノイズによる受信妨害、受信感度劣化の影響を抑えることが出来る。
【発明の効果】
【００１２】
本発明によれば、受信感度劣化の影響を抑えることが出来、かつ、より薄型の携帯電話装置を構成できる。
【図面の簡単な説明】
【００１３】
【図１】本発明に係る上筐体（2a-2b）断面図
【図２】本発明に係る実施形態１の上筐体（1a-1b）断面図
【図３】本発明に係る実施形態１の上筐体平面透視図
【図４】本発明に係る実施形態２の上筐体（1a−1b）断面図
【図５】本発明に係る携帯電話装置構成図
【図６】本発明に係る携帯電話装置ブロック構成図
【図７】従来の上筐体断面図
【発明を実施するための形態】
【００１４】
以下、本発明に係る実施形態を図面に基づいて詳細に説明する。
【実施例１】
【００１５】
本発明の第１の実施形態に係る携帯電話装置について、図１および２、３、５、６を用いて説明する。
【００１６】
図１は本発明に係る携帯電話装置の上筐体断面図（2a-2b）で、図２は実施形態１の上筐体断面図（1a-1b）で、図３は実施形態１の上筐体平面透視図である。図５は携帯電話装置
構成図で、図６は携帯電話装置ブロック構成図である。
本発明の係る携帯電話装置は図５に示すように、上筐体１、下筐体２、ヒンジ部３を備え、操作部５、及び携帯電話装置を構成する回路である制御回路部、無線回路部、電源部、電池部等（図示せず）を具えた下筐体２と、表示パネル４、受話器６等を具えた上筐体１がヒンジ部３を介して開閉可能に連結されている。
図６に携帯電話装置ブロック構成図を示す。下筐体２側には操作部５、電池部１６、制御基板部２０が実装され、制御基板部２０には電源部１７、制御部１８、無線部１９の各ブロックが実装されている。また上筐体１には表示デバイス８、受話器６がフレキシブルケーブル１２を経由して制御基板部２０と接続されている。また無線部１９のアンテナとして、上筐体１内部の金属物である補強板金にて内蔵アンテナ２１が構成されている。
無線部受信動作の一例として、ワンセグ受信機能動作を例にして各部位の動作説明をする。
携帯電話装置の待機状態より、ユーザーによる操作部５からのワンセグ機能起動操作を制御部１８で検出し、ワンセグ受信の為の無線部１９を起動し、上筐体１に構成されている金属物である内蔵アンテナ２１経由で受信信号を入力しワンセグ受信動作をする。また制御部１８は無線部１９からのワンセグ受信データを画像データに変換し、フレキシブルケーブル１２を経由して表示デバイス８へ画像表示データを高速で連続して書き込む。
この様にして、ワンセグ受信機能動作時に、上筐体１の金属物で構成される内蔵アンテナ２１の近傍を受信妨害、受信感度劣化となるノイズ源とる表示デバイス８への高速な連続制御が必要な画像表示データ信号がフレキシブルケーブル１２を経由して伝送される。
図１は本発明に係る携帯電話装置の上筐体断面図（2a-2b）である。表示面より、前面パネル１０、表示デバイス８、補強板金１４、フレキシブルケーブル１２、上筐体ケース板金１１で構成される。ここで補強板金１４は前述の下筐体２内部の無線部１９と接続され、内臓アンテナ２１としての機能を有している。図２は実施形態１の上筐体断面図（1a-1b）である。表示面より全面パネル１０、表示デバイス８、補強板金１４、フレキシブルケーブル１２、上筐体ケース板金１１で構成される。ここで補強板金１４と上筐体ケース板金１１はフレキシブルケーブル１２の両側は接着テープ１５で密着して接着されている。
図３は実施形態１の上筐体平面透視図である。フレキシブルケーブル１２の周辺を接着テープ１５で貼付け、補強板金１４と上筐体ケース板金１１が密着して接着できる構造としている。
この構造にすることにより補強板金１４と上筐体ケース板金１１を密着させ貼り付けることにより、補強板金１４と上筐体ケース板金は高周波で結合され、一体の金属導体として作用し、内臓アンテナとして利用する補強板金１４に無線部からのアンテナ電流を流しても、この金属導体中空を通るフレキシブルケーブル１２へはアンテナ電流は流れることは無く、高速で制御信号が流れるフレキシブルケーブル１２から放射される高周波ノイズによる受信妨害、受信感度劣化の影響を抑えることが出来る。
【実施例２】
【００１７】
図４に実施形態２に係る上筐体断面図（1a-1b）を示す。表示面より前面パネル１０、表示デバイス８、補強板金１４、フレキシブルケーブル１２、上筐体ケース板金１１で構成される。
ここで補強板金１４と上筐体ケース板金１１を一体で構成させることにより、補強板金１４と上筐体ケース板金は高周波で結合され、一体の金属導体として作用し、内臓アンテナとして利用する補強板金１４に無線部からのアンテナ電流を流しても、この金属導体中空を通るフレキシブルケーブル１２へはアンテナ電流は流れることは無く、高速で制御信号が流れるフレキシブルケーブル１２から放射される高周波ノイズによる受信妨害、受信感度劣化の影響を抑えることが出来る。
【００１８】
以上のように、本発明に係るヒンジ部を介して結合された上筐体及び下筐体を含む折り畳み可能に構成された携帯電話装置であって、前記上筐体は少なくとも補強板金、上筐体ケース板金で構成され、前記補強板金を無線部の内蔵アンテナとして利用し、前記上筐体内部に配線パターンが形成されたフレキシブルケーブルを備え、前記フレキシブルケーブルを上筐体ケース板金と、補強板金で挟み込む構造であり、前記上筐体の上筐体ケース板金と、補強板金を接着テープで貼り付ける構造を備え、もしくは前記上筐体の上筐体ケース板金と、補強板金が一体で構成され、前記一体で構成された上筐体ケース板金と前記補強板金に中空のスペースを設け、前記中空のスペースを前記フレキシブルケーブルを通した構造を備えていることにより、補強板金と上筐体ケース板金は高周波で結合され、一体の金属導体として作用し、内臓アンテナとして利用する補強板金に無線部からのアンテナ電流を流しても、この金属導体中空を通るフレキシブルケーブルへはアンテナ電流は流れることは無く、高速で制御信号が流れるフレキシブルケーブルから放射される高周波ノイズによる受信妨害、受信感度劣化の影響を抑えることが出来、フレキシブルケーブルへ電波吸収体等の磁性シートを貼り付けなくても良く、より薄型の上筐体を構成でき、携帯電話装置の薄型化に有用である。
【産業上の利用可能性】
【００１９】
本発明は、携帯電話、携帯ゲーム機、ＰＤＡ、携帯型パソコン、等のポータブル機器全般に利用可能である。
【符号の説明】
【００２０】
１    上筐体
２    下筐体
３    ヒンジ部
４    表示パネル
５    操作部
６    受話器
８    表示デバイス
１０    前面パネル
１１    上筐体ケース板金
１２    フレキシブルケーブル
１３    電波吸収体
１４    補強板金
１５    接着テープ
１６    電池部
１７    電源部
１８    制御部
１９    無線部
２０    制御基板部
２１    内蔵アンテナ
【図１】
2010263282.tif 000003
【図２】
2010263282.tif 000004
【図３】
2010263282.tif 000005
【図４】
2010263282.tif 000006
【図５】
2010263282.tif 000007
【図６】
2010263282.tif 000008
【図７】
2010263282.tif 000009